(57)【特許請求の範囲】
【請求項１】
デマンドコントローラ（５）から送信される電力抑制信号に応じて、空調機（１０）の能力抑制レベルを決定する能力抑制レベル決定部（３１、１３１）と、
前記能力抑制レベル決定部によって決定された前記能力抑制レベルに基づいて前記空調機の能力抑制制御を行う制御実行部（３２、１３２）と、
を備え、
前記電力抑制信号は、要求する電力抑制の程度が異なる複数の要求レベルのいずれかを示し、
前記能力抑制レベルのレベル数は、前記複数の要求レベルのレベル数よりも多く、
前記能力抑制レベル決定部は、過去に決定した前記能力抑制レベルと、前記能力抑制レベルを決定した後に前記デマンドコントローラから送信される前記電力抑制信号である最新の電力抑制信号が示す前記要求レベルとに基づいて、前記最新の電力抑制信号が示す前記要求レベルに対する前記能力抑制レベルの対応づけを変更することで、前記能力抑制レベルを決定する、
空調機コントローラ（２０、１２０）。
【請求項２】
前記複数の要求レベルには、前記空調機の停止を要求する前記要求レベルである停止要求レベルが含まれ、
前記能力抑制レベル決定部は、前記最新の電力抑制信号が前記停止要求レベルを示す場合に、変更が可能な場合は前記対応づけを変更する、
請求項１に記載の空調機コントローラ。
【請求項３】
前記能力抑制レベル決定部は、前記要求レベルがなるべく前記停止要求レベルに変化しないように、過去に前記要求レベルに対して対応づけた前記能力抑制レベルを、能力抑制の程度がさらに小さい前記能力抑制レベルに変化させることで、変更が可能な場合は前記対応づけを変更する、
請求項２に記載の空調機コントローラ。
【請求項４】
時間帯を表す第１パラメータ、外気温を表す第２パラメータ、設定温度と室温との乖離度合いを表す第３パラメータの３つのパラメータのうち少なくともいずれかを含むパラメータ群を記憶するパラメータ群記憶領域（１３７）と、
前記第１パラメータが既定の第１条件を満たすか否か、前記第２パラメータが既定の第２条件を満たすか否か、前記第３パラメータが既定の第３条件を満たすか否かの少なくともいずれかを判定する、条件判定部（１３６）と、
をさらに備え、
前記能力抑制レベル決定部は、前記条件判定部によって判定される結果に応じて、前記電力抑制信号の各要求レベルに対して異なる前記能力抑制レベルを対応させることで、前記対応づけを変更する、
請求項２に記載の空調機コントローラ。
【請求項５】
前記パラメータ群は、前記第１パラメータと前記第２パラメータと前記第３パラメータとを含み、
前記条件判定部は、前記第１パラメータが既定の第１条件を満たすか否かと、前記第２パラメータが既定の第２条件を満たすか否かと、前記第３パラメータが既定の第３条件を満たすか否かと、を判定し、
前記能力抑制レベル決定部は、前記条件判定部が条件を満たすと判定した前記パラメータの数が多いほど、前記電力抑制信号の各要求レベルに対して、能力抑制の程度が大きい前記能力抑制レベルを対応させる、
請求項４に記載の空調機コントローラ。
【請求項６】
前記能力抑制レベルは、前記空調機の設定値の変更度合いを示す、
請求項１から５のいずれかに記載の空調機コントローラ。
【請求項７】
空調対象空間に設置された空調機と、
前記空調機に対する電力抑制信号を送信するデマンドコントローラと、
前記デマンドコントローラから送信される前記電力抑制信号に応じて、前記空調機の能力抑制制御を行う、請求項１から６のいずれかに記載の空調機コントローラと、
を備える、
デマンド制御システム（１００、２００）。
【発明の詳細な説明】
【技術分野】
【０００１】
本発明は、空調機コントローラ、および空調機コントローラを用いたデマンド制御システムに関する。
【背景技術】
【０００２】
従来より、例えば特許文献１（特開２００９−１９８５３号公報）に記載されているように、電力メータ等で得られる電力情報に基づいて空調機のデマンド制御を実行するデマンド制御技術、およびデマンド制御装置が提案されている。
【発明の概要】
【発明が解決しようとする課題】
【０００３】
上記文献に示されるようなデマンド制御技術では、デマンドコントローラから送信される電力抑制信号に基づいて、空調機の能力を制限する。ところで、デマンドコントローラから送信された電力抑制信号に応じて空調機が停止されると、空調機の特性上、空調機が復帰するまでに一定時間を要する。このため、空調機が停止している間、快適性が損なわれることがあった。
【０００４】
本発明の課題は、快適性を考慮した適切なデマンド制御を可能にする空調機コントローラ、および当該空調機コントローラを用いたデマンド制御システムを提供することにある。
【課題を解決するための手段】
【０００５】
第１発明に係る空調機コントローラは、能力抑制レベル決定部と、制御実行部とを備える。能力抑制レベル決定部は、デマンドコントローラから送信される電力抑制信号に応じて、空調機の能力抑制レベルを決定する。制御実行部は、能力抑制レベル決定部によって決定された能力抑制レベルに基づいて空調機の能力抑制制御を行う。電力抑制信号は、複数の要求レベルのいずれかを示す。複数の要求レベルは、要求する電力抑制の程度が異なる。そして、能力抑制レベルのレベル数は、要求レベルのレベル数よりも多い。能力抑制レベル決定部は、過去に決定した能力抑制レベルと、最新の電力抑制信号が示す要求レベルとに基づいて、最新の電力抑制信号が示す要求レベルに対する能力抑制レベルの対応づけを変更することで、能力抑制レベルを決定する。最新の電力抑制信号とは、過去に能力抑制レベルを決定した後にデマンドコントローラから送信される電力抑制信号である。対応づけの変更は、過去に決定した能力抑制レベルと、最新の電力抑制信号が示す要求レベルとに基づいて実行される。
【０００６】
本発明に係る空調機コントローラでは、例えば、デマンドコントローラから送信される電力抑制信号が、電力抑制の程度に応じた複数の要求レベルのうちの１つの要求レベルを示し、能力抑制レベルも複数あるとき、過去に１つの要求レベルに対して、空調機を停止させる能力抑制レベルを決定した場合であっても、先に決定した能力抑制レベルと、当該能力抑制レベルに基づく能力抑制制御の結果デマンドコントローラから送信される新たな電力抑制信号とに基づいて、その後、能力抑制の程度を緩和した能力抑制レベルを決定することができる。また、本発明に係る空調機コントローラでは、能力抑制レベルのレベル数が、電力抑制信号の要求レベルの数よりも多い。したがって、１つの要求レベルに対して、複数の能力抑制レベルを決定することができる。さらに、本発明に係る空調機コントローラでは、過去に決定した能力抑制レベルと、最新の電力抑制信号が示す要求レベルとに基づいて、最新の電力抑制信号が示す要求レベルに対する能力抑制レベルの対応づけが変更される。
【０００７】
これにより、快適性を向上させる空調機の制御を行うことができる。また、電力抑制信号が示す要求レベルが少ない場合でも、空調機に対してきめ細かい制御を実行させることができる。さらに、デマンドコントローラから新たに電力抑制信号が送られることにより、要求レベルと能力抑制レベルとの対応づけが変更されるため、適宜、適切な対応づけに更新することができる。
【０００８】
第２発明に係る空調機コントローラは、第１発明に係る空調機コントローラであって、複数の要求レベルには、空調機の停止を要求する停止要求レベルが含まれる。能力抑制レベル決定部は、最新の電力抑制信号が停止要求レベルを示す場合に、変更が可能な場合には対応づけを変更する。
【０００９】
本発明に係る空調機コントローラでは、電力抑制信号が示す要求レベルに、空調機の停止を要求する停止要求信号が含まれる。また、デマンドコントローラから送信される電力抑制信号が停止要求レベルを示す場合に、要求レベルと能力抑制レベルとの対応づけが変更される。
【００１０】
これにより、空調機の停止を抑制し、空調対象空間の快適性を維持することができる。
【００１１】
第３発明に係る空調機コントローラは、第２発明に係る空調機コントローラであって、能力抑制レベル決定部は、要求レベルがなるべく停止要求レベルに変化しないように対応づけを変更する。また、能力抑制レベル決定部は、過去に要求レベルに対して対応づけた能力抑制レベルを、能力抑制の程度がさらに小さい能力抑制レベルに変化させることで、変更が可能な場合には要求レベルと能力抑制レベルとの対応づけを変更する。
【００１２】
この空調機コントローラでは、要求レベルがなるべく、停止要求レベルに変化しないようにしつつ、能力抑制の程度がなるべく小さくなるように、変更が可能な場合には能力抑制レベルを変更する。
【００１３】
このため、必要以上に空調機の能力が抑制されることが抑えられるので、快適性の向上が期待できる。
【００１４】
第４発明に係る空調機コントローラは、第２発明に係る空調機コントローラであって、パラメータ群記憶領域と、条件判定部とをさらに備える。パラメータ群記憶領域は、パラメータ群を記憶する。パラメータ群は、第１パラメータ、第２パラメータ、および第３パラメータのうち少なくともいずれかを含む。第１パラメータは時間帯を表し、第２パラメータは外気温を表し、第３パラメータは設定温度と室温との乖離度合いを表す。条件判定部は、第１パラメータが既定の第１条件を満たすか否か、第２パラメータが既定の第２条件を満たすか否か、第３パラメータが既定の第３条件を満たすか否かの少なくともいずれかを判定する。能力抑制レベル決定部は、条件判定部によって判定される結果に応じて、電力抑制信号の各要求レベルに対して異なる能力抑制レベルを対応させることで、対応づけを変更する。
【００１５】
この空調機コントローラでは、パラメータを有していて、当該パラメータが、対応する条件を満たすか否かの結果に応じて、異なる能力抑制レベルを対応させる。このため、環境等に応じた、適切なデマンド制御が実現され得る。
【００１６】
第５発明に係る空調機コントローラは、第４発明に係る空調機コントローラであって、パラメータ群は、第１パラメータと第２パラメータと第３パラメータとを含む。条件判定部は、第１パラメータが既定の第１条件を満たすか否かと、第２パラメータが既定の第２条件を満たすか否かと、第３パラメータが既定の第３条件を満たすか否かと、を判定する。能力抑制レベル決定部は、条件判定部が条件を満たすと判定した前記パラメータの数が多いほど、電力抑制信号の各要求レベルに対して、能力抑制の程度が大きい前記能力抑制レベルを対応させる。
【００１７】
この空調機コントローラでは、既定の条件を満たすパラメータの数が多いほど、より大きく、空調機の能力抑制を行う。例えば、外気温や時間帯等をパラメータとして採用し、外気温が既定値より高い場合や、日中の外気温が高い既定の時間帯等を、条件として設定する。当該２つの条件を同時に満たす場合に、より能力抑制の程度が大きい前記能力抑制レベルを対応させる。
【００１８】
このため、環境等に応じた、適切で細かいデマンド制御が実現され得る。
【００１９】
第６発明に係る空調機コントローラは、第１発明から第５発明のいずれかに係る空調機コントローラであって、能力抑制レベルは、空調機の設定値の変更度合いを示す。
【００２０】
この空調機コントローラでは、空調機の設定値を段階的に変更することで、能力抑制を行う。ここで、空調機の設定値には、室内機の設定温度値、圧縮機の能力制御値等が含まれる。
【００２１】
空調機を停止すると再起動に一定の時間を要する。そのため、空調機が再起動するまでの間は空調制御が行われない。しかし、本発明に係る空調機コントローラは、空調機の設定値を変更させることにより、空調機を極力停止させないように空調機の能力抑制を行う。これにより、快適性の向上が期待できる。
【００２２】
第７発明に係るデマンド制御システムは、空調機と、デマンドコントローラと、空調機コントローラとを備える。空調機は、空調対象空間に設置されている。デマンドコントローラは、空調機に対する電力抑制信号を送信する。空調機コントローラは、第１発明から第６発明のいずれかに係る空調機コントローラである。空調機コントローラは、デマンドコントローラから送信される電力抑制信号に応じて、空調機の能力抑制制御を行う。
【００２３】
このデマンド制御システムでは、デマンドコントローラから送信される電力抑制信号に基づいて、空調機コントローラが空調機の能力抑制制御を実行する。空調機コントローラとして、第１発明から第６発明のいずれかに係る空調機コントローラを採用しているため、当該空調機コントローラの作用、および効果を実現できる。このため、快適性を考慮した適切なデマンド制御が期待できる。
【発明の効果】
【００２４】
第１発明に係る空調機コントローラでは、快適性を向上させる空調機の制御を行うことができる。また、電力抑制信号が示す要求レベルが少ない場合でも、空調機に対してきめ細かい制御を実行させることができる。さらに、要求レベルと能力抑制レベルとの対応づけが変更されるため、適宜、適切な対応づけに更新することができる。
【００２５】
第２発明に係る空調機コントローラでは、空調機の停止を抑制し、空調対象空間の快適性を維持することができる。
【００２６】
第３発明に係る空調機コントローラでは、必要以上に空調機の能力が抑制されることが抑えられるので、快適性の向上が期待できる。
【００２７】
第４発明に係る空調機コントローラでは、パラメータが、対応する条件を満たすか否かの結果に応じて、異なる能力抑制レベルを対応させる。このため、環境等に応じた、適切なデマンド制御が実現され得る。
【００２８】
第５発明に係る空調機コントローラでは、既定の条件を満たすパラメータの数が多いほど、より大きく、空調機の能力抑制を行う。このため、環境等に応じた、適切で細かいデマンド制御が実現され得る。
【００２９】
第６発明に係る空調機コントローラでは、可能な限り空調機を停止することなく、能力抑制制御を実行する。このため、快適性の向上が期待できる。
【００３０】
第７発明に係るデマンド制御システムでは、第１発明から第７発明のいずれかに係る空調機コントローラの作用、および効果が実現され、快適性を考慮した適切なデマンド制御が期待できる。
【図面の簡単な説明】
【００３１】
【図１】本実施形態に係るデマンド制御システムのシステム構成図
【図２】本実施形態に係る空調機コントローラの物理的構成図
【図３】本実施形態に係る空調機コントローラのシステム構成図
【図４】本実施形態に係る空調機コントローラのデマンド制御全体の処理の流れを示すフローチャート
【図５】本実施形態に係る空調機コントローラの能力抑制レベル変更処理の流れを示すフローチャート
【図６】本実施形態に係る空調機コントローラのデマンド制御における前処理の流れを示すフローチャート
【図７】本実施形態の変形例Ａに係るデマンド制御システムのシステム構成図
【図８】本実施形態の変形例Ａに係る空調機コントローラのシステム構成図
【図９】本実施形態の変形例Ａに係る空調機コントローラの能力抑制レベル変更処理の流れを示すフローチャート
【発明を実施するための形態】
【００３２】
〔全体の構成〕
図１に示すように、本実施形態に係るデマンド制御システム１００は主に、デマンドコントローラ５、電力メータ６、空調機１０、空調機コントローラ２０から構成される。空調機１０は主に、室内機と室外機と冷媒配管とから構成される。室内機は空調対象空間内に設定されている。室外機は屋外に設置されている。室内機と室外機とは、冷媒配管で接続されている。
【００３３】
〔各構成の説明〕
（１）空調機
空調機１０は、上述したように、室内機と室外機とを有する。室内機は、主に、ケーシング、室内熱交換器、室内ファン、化粧パネル、制御装置、吸込口、吹出口、各種センサを含む。室外機は、主に室外熱交換器、圧縮機、送風機、制御装置、各種センサを含む。空調機１０は、空調対象空間の空気調和を行う。
【００３４】
（２）デマンドコントローラ
デマンドコントローラ５は、空調機コントローラ２０に電力抑制信号を送信する。電力抑制信号は、空調機１０の電力の抑制を要求する信号である。電力抑制信号は、複数の要求レベルを示す。要求レベルとは、空調機１０の電力の抑制を要求する際の、抑制の程度を段階で示したものである。要求レベルには、要求レベル１から要求レベル３までの３段階がある。要求レベルの段階が上がるにつれて、空調機１０に対する電力抑制の要求の程度が大きくなる。すなわち、ここでは、要求レベル３の電力抑制信号が、要求の程度が最も大きい。要求レベル３の電力抑制信号は停止要求信号であり、空調機１０の停止を要求する信号である。
【００３５】
デマンドコントローラ５は、電力パルス線７によって、電力メータ６と接続されている。デマンドコントローラ５は、電力パルス線７を介して、電力メータ６から電力パルス信号を受信する。デマンドコントローラ５は、受信した電力パルス信号をカウントすることによって空調機１０の電力を求める。デマンドコントローラ５は、後述の空調機コントローラ２０に対して、１０秒毎に電力抑制信号を送信する。
【００３６】
（３）空調機コントローラ
空調機コントローラ２０は、デマンドコントローラ５から送信される電力抑制信号に基づいて、空調機１０を制御する。空調機コントローラ２０は、デマンドコントローラ５から送信される電力抑制信号の要求レベルに応じて、空調機１０の能力抑制レベルを決定する。能力抑制レベルとは、空調機１０の能力を抑制する程度を段階で示したものである。さらに空調機コントローラ２０は、決定した能力抑制レベルに基づいて、空調機１０を動作させるための制御信号を生成する。空調機コントローラ２０は、通信接続８を介して、生成した制御信号を空調機１０に送信する。
【００３７】
（３−１）空調機コントローラの構成
空調機コントローラ２０は、図２に示すように、主に受信部２１、送信部２９、および制御部２２から構成されている。
【００３８】
受信部２１は、デマンドコントローラ５から送信される電力抑制信号を受信する。受信部２１は、受信した電力抑制信号の要求レベルを、制御部２２が扱えるようなデジタル信号に変換して、制御部２２に送信する。
【００３９】
送信部２９は、後述の制御実行部３２で生成された制御信号を受信し、受信した当該制御信号をアナログ情報に変換後、空調機１０に送信する。送信部２９から送信された制御信号を受信した空調機１０は、当該制御信号に基づいて、能力抑制制御を実行する。この結果、空調機コントローラ２０による、空調機１０のデマンド制御が実行される。
【００４０】
制御部２２は、中央処理部２３、ＲＡＭ２６、ＲＯＭ２７、記憶装置２８等を備える。中央処理部２３は、さらに演算部２４と演算制御部２５に分けられる。
【００４１】
また制御部２２は図３に示すように、主として、能力抑制レベル決定部３１、制御実行部３２、決定アルゴリズム記憶領域３３、対応関係記憶領域３４、制御内容記憶領域３５として機能する。
【００４２】
決定アルゴリズム記憶領域３３には、第１決定アルゴリズムが記憶されている。第１決定アルゴリズムは、後述の能力抑制レベル決定部３１によって実行される、各要求レベルに対する能力抑制レベルの対応づけを行う手順を記述したものである。
【００４３】
制御内容記憶領域３５には、表１に示すように、複数の能力抑制レベルと、各能力抑制レベルに対応する制御内容（能力抑制制御の内容）とがテーブル形式で記憶されている。能力抑制レベルとは、上述したように、空調機１０の能力を抑制する程度を段階で示したものである。能力抑制制御の内容としては、空調機１０の設定値の変更度合いが記憶されている。ここで、空調機１０の設定値とは、室内機に設定する温度値（設定温度値）である。これにより、各能力抑制レベルは、空調機１０の設定値の変更度合いを示す。
【００４４】
【表１】
0005515765.tif 000002
【００４５】
本実施形態では、能力抑制レベルが高くなる程、空調機１０の能力抑制の程度が大きくなる。能力抑制レベルには、能力抑制レベル１から能力抑制レベル８までの、８つの段階が設定されている。例えば、能力抑制レベル１では、空調機１０の設定温度を１℃シフトさせる。能力抑制レベル２では空調機１０の設定温度を２℃シフトさせる。同様に、能力抑制レベル３から能力抑制レベル７も、設定温度のシフトを１℃ずつ大きく設定してある。設定温度のシフトとは、空調機１０が冷房運転モードで稼動している場合には、設定温度を一定温度ずつ段階的に高温側にずらすことである。空調機１０が暖房運転モードで稼動している場合は、設定温度を一定温度ずつ段階的に低温側に下げることである。設定温度をシフトさせて、空調機１０の空気調和能力、および電力を段階的に抑制する制御である。能力抑制レベル８では、強制サーモＯＦＦを実行する。強制サーモＯＦＦとは、空調機１０の圧縮機を停止させることであり、熱交換が停止される。
【００４６】
対応関係記憶領域３４には、各要求レベルに対する能力抑制レベルの対応づけに関する対応づけ情報が、テーブル形式で記憶されている。対応づけ情報には、基本情報と決定情報とが含まれる。
【００４７】
基本情報は、表２に示すように、電力抑制信号が示す要求レベルと、各要求レベルに対応づけられる能力抑制レベルの範囲とを関連づけた情報である。具体的には、要求レベル１に対して対応づけられる能力抑制レベルの範囲は、能力抑制レベル１から能力抑制レベル３である。要求レベル２に対して対応づけられる能力抑制レベルは、能力抑制レベル４から能力抑制レベル７である。要求レベル３は、最も高い要求レベルあって、要求レベル３には、常に能力抑制レベル８が対応づけられている。能力抑制レベル８では、強制サーモＯＦＦを実行する。このため、要求レベル３の電力抑制信号を、「停止要求信号」ともいう。
【００４８】
【表２】
0005515765.tif 000003
【００４９】
決定情報は、基本情報に基づいて、後述する能力抑制レベル決定部３１が決定した情報である。具体的に、決定情報とは、各要求レベルに対応づけられる一の能力抑制レベルに関する情報である。
【００５０】
なお、空調機コントローラ２０の起動時、対応関係記憶領域３４の決定情報には初期値が設定される。具体的に初期値とは、表３に示すように、要求レベル１に対して能力抑制レベル１、要求レベル２に対して能力抑制レベル４、要求レベル３に対して能力抑制レベル８が対応づけられる。
【００５１】
【表３】
0005515765.tif 000004
【００５２】
能力抑制レベル決定部３１は、デマンドコントローラ５から送信される電力抑制信号に応じて、空調機１０の能力抑制レベルを決定する。具体的には、能力抑制レベル決定部３１は、過去に決定した能力抑制レベルと、最新の電力抑制信号が示す要求レベルとに基づいて、最新の電力抑制信号が示す要求レベルと能力抑制レベルとの対応づけを変更することで、電力抑制信号に対する能力抑制レベルの新しい対応づけを決定する。電力抑制信号に対する能力抑制レベルの新しい対応づけは、デマンドコントローラ５の要求レベルが、なるべく停止要求レベルに変化しないようにしつつ、過去に、要求レベルに対して対応づけた能力抑制レベルを、変更が可能な場合には、能力抑制の程度がさらに小さい能力抑制レベルに変化させることによって決定される。
【００５３】
能力抑制レベル決定部３１によって、要求レベルに対する能力抑制レベルの対応づけが決定されると、決定された新たな対応づけが、上述の対応関係記憶領域３４に決定情報として記憶される。
【００５４】
このようにして、能力抑制レベル決定部３１は、対応関係記憶領域３４に記憶されている過去の対応づけを、新たな対応づけに変更する。
【００５５】
制御実行部３２は、対応関係記憶領域３４に記憶されている、各要求レベルと能力抑制レベルとの対応づけに基づいて、制御信号を生成する。生成された制御信号は、送信部２９を介して空調機１０に送信される。制御信号を受信した空調機１０では、当該制御信号に基づいてデマンド制御が実行される。
【００５６】
能力抑制レベル決定部３１は、デマンド制御実行後、デマンドコントローラ５から送信される電力抑制信号の各要求レベルに基づいて、過去に決定された、各要求レベルに対する能力抑制レベルの対応づけを、上記の手順で再び変更する。以降、同様の変更が繰り返される。
【００５７】
〔空調機コントローラの動作〕
（１）第１決定アルゴリズム
次に、第１決定アルゴリズムに基づいた制御の概略を説明する。第１決定アルゴリズムを実行することにより、基本情報において各要求レベルに対応づけられている能力抑制レベルの範囲で、要求レベルと能力抑制レベルとの対応づけが変更される。具体的には、まず、各要求レベルに対応づけられている能力抑制レベルの範囲のうち、最も大きい能力抑制レベルが要求レベルに対応づけられる。その後、電力抑制信号が示す要求レベルが停止要求レベルに変化するまで、要求レベルに対応づける能力抑制レベルが下げられていく。所定の能力抑制レベルが要求レベルに対応づけられ、電力抑制信号の要求レベルが停止要求レベルに変化したとき、１つ前（すなわち、電力抑制信号の要求レベルが停止要求信号に変化する前）に要求レベルに対応づけられた能力抑制レベルが、新たな対応づけとして決定される。
【００５８】
例えば、要求レベル２と能力抑制レベルとの対応づけについて説明する。まず初めに、要求レベル２には、能力抑制レベル４から能力抑制レベル７のうち、能力抑制レベル７が対応づけられる。その後、電力抑制信号が示す要求レベルが停止要求レベルに変化するまで、要求レベルに対応づける能力抑制レベルが下げられていく。すなわち、能力抑制レベル７の次は、能力抑制レベル６が要求レベル２に対応づけられる。さらに、その次には、能力抑制レベル５と要求レベル２とが対応づけられる。例えば、能力抑制レベル５と要求レベル２とが対応づけられたとき、電力抑制信号の要求レベルが停止要求レベルに変化した場合には、電力抑制信号の要求レベルが停止要求レベルに変化する前に要求レベルに対応づけられた能力抑制レベル、すなわち、能力抑制レベル５と、要求レベル２とが新たな対応づけとして決定される。このように、要求レベル１と能力抑制レベルとの対応づけも決定される。
【００５９】
（２）デマンド制御全体の処理の流れ
ここでは、デマンド制御全体の処理の流れについての詳細を、フローチャートを参照しながら説明する。
【００６０】
図４は、デマンド制御全体の処理の全体の流れを示すフローチャートである。以下、各要求レベルに対する最適な能力抑制レベルの対応づけを行う処理を、能力抑制レベル変更処理、または能力抑制レベル変更処理ルーチンＲＴ１と表現する。
【００６１】
まず、最適なデマンド制御を実行するための全体の処理の流れについて、図４のフローチャートを参照しながら説明する。なお、下記の説明において、変数Ｊは、対応関係記憶領域３４に記憶された要求レベルを表し、変数Ｉは、対応関係記憶領域３４に記憶された能力抑制レベルを表す。具体的には、Ｊは１または２であり、Ｉは、１から７のうちのいずれかである。
【００６２】
能力抑制レベル決定部３１は、１０秒毎にデマンドコントローラ５から送信される電力抑制信号の要求レベルを監視している。この状態を要求レベル監視ループＲ１という。ステップＳ１では、能力抑制レベル決定部３１が、能力抑制レベル変更フラグに０がセットされているかどうかを判定する。能力抑制レベル変更処理フラグに０がセットされている場合にはステップＳ２に移動する。能力抑制レベル変更処理フラグに１がセットされている場合は、要求レベル監視ループＲ１においてループし続ける（後述するように、要求レベル変更処理フラグに１がセットされているときは、能力抑制レベル変更処理が実行中であるため）。なお、空調機コントローラ２０が起動するとき、能力抑制レベル変更処理フラグは、自動的に初期値０で初期化される。
【００６３】
ステップＳ２では、能力抑制レベル決定部３１が、電力抑制信号が要求レベル３に到達したかどうかを判定する。要求レベル３に到達した場合はステップＳ３に移動する。要求レベル３に到達していない場合は、ステップＳ４に移動する。
【００６４】
ステップＳ３では、能力抑制レベル決定部３１が、変数Ｊに２をセットして、要求レベル２に対する能力抑制レベルの変更処理を実行する（能力抑制レベル変更処理ルーチンＲＴ１）。ステップＳ３において、能力抑制レベル変更処理ルーチンＲＴ１を実行して、要求レベル２に対する能力抑制レベルの対応付けが変更された後、制御実行ルーチンＲＴ３に移動する。制御実行ルーチンＲＴ３では、まず、制御実行部３２が、変更された対応づけに基づいて制御信号を生成する。生成された制御信号は、送信部２９によって空調機１０に送信される。制御実行ルーチンＲＴ３終了後、要求レベル監視ループＲ１に戻る。
【００６５】
ステップＳ４では、能力抑制レベル決定部３１が、要求レベル２に到達したかどうかを判定する。要求レベル２に到達した場合は、ステップＳ５に移動する。要求レベル２に到達していない場合は、要求レベル監視ループＲ１に戻る。
【００６６】
ステップＳ５では、能力抑制レベル決定部３１が、ステップＳ３における要求レベル２に対する能力抑制レベルの変更処理が終了しているかどうかを判定する。要求レベル２に対する能力抑制レベルの変更処理が終了している場合はステップＳ６に移動する。要求レベル２に対する能力抑制レベルの変更処理が終了していない場合は、ステップＳ７に移動する。
【００６７】
ステップＳ６では、能力抑制レベル決定部３１が、要求レベル１に対する能力抑制レベルの変更処理を実行する（能力抑制レベル変更処理ルーチンＲＴ１）。能力抑制レベル変更処理ルーチンＲＴ１を実行して、要求レベル１に対する能力抑制レベルが変更された後、制御実行ルーチンＲＴ３に移動する。制御実行ルーチンＲＴ３終了後、要求レベル監視ループＲ１に戻る。
【００６８】
ステップＳ７では、能力抑制レベル決定部３１が、要求レベル３に到達したかどうかを判定する。要求レベル３に到達した場合はステップＳ８に移動する。要求レベルが３に到達していない場合は、要求レベル監視ループＲ１に戻る。
【００６９】
ステップＳ８では、能力抑制レベル決定部３１が、要求レベル２に対する能力抑制レベルの変更処理を実行する（能力抑制レベル変更ルーチン処理ＲＴ１）。能力抑制レベル変更処理ルーチンＲＴ１を実行して、要求レベル２に対する能力抑制レベルが変更された後、制御実行ルーチンＲＴ３に移動する。制御実行ルーチンＲＴ３終了後、要求レベル監視ループＲ１に戻る。
【００７０】
（３）能力抑制レベル変更処理ルーチンにおける処理の流れ
図５は、各要求レベルにおける能力抑制レベル変更処理ルーチンＲＴ１の処理の流れを示すフローチャートである。各要求レベルに対する能力抑制レベルの対応づけの決定、変更処理を実行する。
【００７１】
ステップＳ１１では、能力抑制レベル決定部３１が、要求レベルＪに応じた前処理ルーチンＲＴ２を実行する。この前処理ルーチンＲＴ２では、要求レベルＪに応じた各種変数の設定を実行し、また、要求レベル変更処理フラグに１をセットする。前処理ルーチンＲＴ２の処理が終了すると、処理は能力抑制レベル変更処理ルーチンＲＴ１に戻り、ステップＳ１２に移動する。
【００７２】
ステップＳ１２では、能力抑制レベル決定部３１が、変数ＩにＭＡＸを設定する。その後、ステップＳ１３に移動する。
【００７３】
ステップＳ１３では、制御実行部３２が、ステップＳ１２で設定された変数Ｉを能力抑制レベルとする制御信号を生成する。そして生成された制御信号は、送信部２９によって空調機１０に送信される（制御実行ルーチンＲＴ３）。その後、ステップＳ１４に移動する。
【００７４】
ステップＳ１４では、能力抑制レベル決定部３１が、電力抑制信号の要求レベルがＪ＋１に到達したかどうかを判定する。要求レベルがＪ＋１に到達した場合は、要求レベル監視ループＲ１に戻る。要求レベルがＪ＋１に到達しない場合は、ステップＳ１５に移動する。
【００７５】
ステップＳ１５では、能力抑制レベル決定部３１が、変数Ｉの値を１だけ減少させる。その後、ステップＳ１６に移動する。
【００７６】
ステップＳ１６では、制御実行部３２が、ステップＳ１５で設定された変数Ｉを能力抑制レベルとする制御信号を生成する。そして生成された制御信号は、送信部２９によって空調機１０に送信される（制御実行ルーチンＲＴ３）。その後、ステップＳ１７に移動する。
【００７７】
ステップＳ１７では、能力抑制レベル決定部３１が、要求レベルがＪ＋１に到達したかどうかを判定する。要求レベルがＪ＋１に到達した場合は、ステップＳ１８に移動する。要求レベルがＪ＋１に到達しない場合は、ステップＳ１９に移動する。
【００７８】
ステップＳ１８では、能力抑制レベル決定部３１が、変数Ｉの値を１だけ増加させ、ステップＳ２０に移動する。
【００７９】
ステップＳ１９では、能力抑制レベル決定部３１が、変数ＩがＭＩＮであるかどうかを判定する。変数ＩがＭＩＮであった場合は、ステップＳ２０に移動する。変数ＩがＭＩＮでなかった場合は、ステップＳ１５に移動する。
【００８０】
ステップＳ２０では、能力抑制レベル決定部３１が、能力抑制レベル変更処理フラグに０をセットし、能力抑制レベル変更処理を終了する。
【００８１】
（４）前処理ルーチンにおける処理の流れ
図６は、前処理ルーチンＲＴ２の処理の流れを示すフローチャートである。前処理ルーチンＲＴ２における処理の内容は、要求レベルＪに応じた各種変数の設定、能力抑制レベル変更処理フラグへの１のセット等である。
【００８２】
ステップＳ３１では、能力抑制レベル決定部３１が、どの要求レベルに対する能力抑制レベルの対応づけを決定するかを判断するために、能力抑制レベル変更処理ルーチンＲＴ１における変数Ｊの値を参照する。変数Ｊの値が２であった場合は、ステップＳ３２に移動する。変数Ｊの値が２以外であった場合は、ステップＳ３４に移動する。
【００８３】
ステップＳ３２では、能力抑制レベル決定部３１が、変数Ｉに２、ＭＡＸに７、ＭＩＮに４をセットする。その後、ステップＳ３３に移動する。
【００８４】
ステップＳ３３では、能力抑制レベル決定部３１が、能力抑制レベル変更処理フラグに１をセットする。その後、能力抑制レベル変更処理ルーチンＲＴ１のステップＳ１２に戻る。
【００８５】
ステップＳ３４では、能力抑制レベル決定部３１が、変数Ｉに１、ＭＡＸに３、ＭＩＮに１をセットする。その後、ステップＳ３５に移動する。
【００８６】
ステップＳ３５では、能力抑制レベル決定部３１が、能力抑制レベル変更処理フラグに１をセットする。その後、能力抑制レベル変更処理ルーチンＲＴ１のステップＳ１２に戻る。
【００８７】
（５）制御実行ルーチンにおける処理の流れ
制御実行ルーチンＲＴ３では、制御実行部３２が、対応関係記憶領域３４に記憶された、各要求レベルに対する能力抑制レベルの対応づけに基づいて、制御信号を生成する。生成された制御信号は、送信部２９に送信される。当該制御信号を受信した送信部２９は、当該制御信号をアナログ信号に変換し、空調機１０に送信する。
【００８８】
〔デマンド制御システムの特徴〕
（１）
本実施形態に係るデマンド制御システム１００では、デマンドコントローラ５から送信される電力抑制信号を空調機コントローラ２０が受信し、空調機コントローラ２０は、当該電力抑制信号に応じて空調機１０の能力抑制制御を行っている。具体的には、本実施形態で用いたデマンドコントローラ５からは、要求レベル１から要求レベル３の３つの要求レベルのうちいずれか１つの要求レベルを示す電力抑制信号が空調機コントローラ２０に送られる。また、各要求レベルに対して、予め所定の能力抑制レベルを対応づける。空調機コントローラ２０は、電力抑制信号が示す要求レベルに対応づけられた能力抑制レベルに基づいて、空調機１０の制御を行っている。能力抑制レベルによって、空調機１０の能力抑制の程度が異なるため、例えば、要求レベル２に対して空調機１０を停止させる能力抑制レベル６を対応づけていた場合、当該対応づけに基づいて空調機１０の制御を実行したとする。その後、もし停止要求レベルである要求レベル３を示す電力抑制信号が送信されてくると、空調機コントローラ２０は、空調機１０を停止させる。空調機１０が一旦停止すると、完全に復旧するまでに一定の時間が必要となるため、復旧するまでの間は快適性が大幅に低下する。
【００８９】
本実施形態に係るデマンド制御システム１００では、一旦要求レベルに対応づけた能力抑制レベルを、その後送られてくる電力抑制信号が示す要求レベルに基づいて変更することができる。例えば、要求レベル２に対して空調機１０を停止させる能力抑制レベル６を対応づけていたとする。当該対応づけに基づいてデマンド制御を実行し、その後もし要求レベル３を示す電力抑制信号が送信されてきた場合、能力抑制レベル決定部３１は、要求レベル２と電力抑制レベル６との対応づけを、要求レベル２と電力抑制レベル７との対応づけに変更する。このように、現在の要求レベルに対して、より能力抑制の程度が大きい能力抑制レベルを対応させることで、なるべく停止要求レベルが送信されないようにする。デマンド制御システム１００では上述したように、要求レベルと能力抑制レベルとの対応づけを柔軟に行うことができる。また、この結果として、頻繁に空調機１０が停止されることを抑制し、快適な空調環境を提供することができる。
【００９０】
（２）
さらに、本実施形態に係るデマンド制御システム１００では、空調機コントローラ２０が、複数レベルの能力抑制レベルを記憶させている。能力抑制レベルの数は、電力抑制信号が示す要求レベルの数よりも多い。したがって、デマンドコントローラ５から送信される電力抑制信号が示す要求レベルが少ない場合でも、空調機１０に対してきめ細かい制御を実行させることができる。
【００９１】
（３）
また、本実施形態に係るデマンド制御システム１００では、過去に決定した能力抑制レベルと、最新の電力抑制信号が示す要求レベルとに基づいて、最新の電力抑制信号が示す要求レベルに対する能力抑制レベルの対応づけが変更される。デマンドコントローラ５から新たに電力抑制信号が送られることにより、要求レベルと能力抑制レベルとの対応づけが変更されるため、適宜、適切な対応づけに更新することができる。
【００９２】
本実施形態に係るデマンド制御システム１００では、電力抑制信号の要求レベルがなるべく停止要求レベルに変化しないようにしつつ、過去の要求レベルに対して対応づけた能力抑制レベルを、能力抑制の程度がさらに小さい能力抑制レベルに変化させて、変更が可能な場合は、当該対応づけを変更する。例えば、要求レベル２に対して能力抑制レベル６を対応づけていたとする。このとき、要求レベル２に対して、能力抑制の程度がさらに小さい能力抑制レベル５を対応させ、当該対応づけに基づいて空調機１０の制御を実行した結果、もし要求レベル３を示す電力抑制信号が送信されなかった場合、能力抑制レベル決定部３１は、要求レベル２と電力抑制レベル６との対応づけを、要求レベル２と電力抑制レベル５との対応づけに変更する。このように、現在の要求レベルに対して、電力抑制信号の要求レベルがなるべく停止要求レベルを示さないようにしつつ、より能力抑制の程度が小さい能力抑制レベルを対応させる。このようにして、より能力抑制の程度が小さくなるように、要求レベルと能力抑制レベルとの対応づけを、可能な限り変更する。この結果、必要以上に空調機１０の能力が抑制されることが抑えられるので、快適性の向上が期待できる。
【００９３】
（４）デマンド制御システム１００は、デマンドコントローラ５から送信される電力抑制信号の要求レベルに基づいて、デマンド制御を実行する。このため、すでに設置されているデマンドコントローラ５を活用することができる。
【００９４】
（５）従来は、デマンド制御システム１００のように、デマンドコントローラ５から送信される能力抑制信号に基づいて空調機コントローラ２０がデマンド制御を実行するような形態のデマンド制御システムにおいては、デマンドコントローラ５から送信される信号に対する、空調機１０の能力抑制の度合いは、エンジニアの経験に基づいて設定されていた。このため、環境の変化等に対応させることが困難であった。
【００９５】
デマンド制御システム１００では、空調機コントローラ２０が、デマンドコントローラ５から送信される電力抑制信号に基づいて、最適なデマンド制御を決定する。このため、エンジニアの経験に依存することなく、空調機１０を適切にデマンド制御することが可能である。
【００９６】
〔変形例〕
本発明は上記実施形態に限定されるものではなく、発明の要旨を逸脱しない範囲において、種々の変更が可能である。
【００９７】
（変形例Ａ）
上記実施形態に係るデマンド制御システム１００の空調機コントローラ２０は、要求レベルに対する能力抑制レベルの対応づけを行う。当該対応づけに基づいて、空調機１０の能力制御が実行された後に、デマンドコントローラ５から送信された電力抑制信号の要求レベルに基づいて、過去に決定した対応づけを変更することを繰り返して、最適なデマンド制御を実行した。
【００９８】
ここで、例えばいくつかのパラメータ（時間帯、外気温、設定温度と外気温との乖離度合い等）を導入し、当該パラメータが、各既定の条件を満たすか否かを判定し、各条件を満たすパラメータの数に応じて、異なる対応づけを行うようにしてもよい。例えば、夏季に空調機１０が冷房運転モードで稼動しているとき、外気温が３５℃以上ならば、空調機１０の能力抑制の程度を大きくする。
【００９９】
上記のような方法を採用した場合、各種パラメータによって把握される気温等も考慮に入れて、デマンド制御を実行することになる。このため、より細かいデマンド制御を実現し得る。
【０１００】
以下、空調機１０が冷房運転モードで稼動している場合を仮定して説明するが、空調機１０が暖房運転モードで稼動している場合も、考え方としては同様である。このため、空調機１０が暖房運転モードで稼動している場合についての説明は省略する。
【０１０１】
〔全体の構成〕
上記実施形態の変形例Ａに係るデマンド制御システム２００は、図７に示すように、主に、デマンドコントローラ５、空調機１０、空調機コントローラ１２０から構成される。
【０１０２】
〔各構成の説明〕
（１）空調機
空調機１０の構成、および機能は、本実施形態の場合と同様である。このため、ここでは説明を省略する。
【０１０３】
（２）デマンドコントローラ
デマンドコントローラ５の構成、および機能は、上記実施形態のデマンドコントローラ５と同様である。このため、ここでは説明を省略する。
【０１０４】
（３）空調機コントローラ
空調機コントローラ１２０は、図８に示すように、主に、受信部１２１、送信部１２９、および制御部１２２から構成されている。受信部１２１、および送信部１２９は、上記実施形態と同様であるので説明を省略する。
【０１０５】
制御部１２２は、主として、能力抑制レベル決定部１３１、制御実行部１３２、決定アルゴリズム記憶領域１３３、対応関係記憶領域１３４、制御内容記憶領域１３５、条件判定部１３６、およびパラメータ群記憶領域１３７として機能する。変形例Ａにおける制御実行部１３２、対応関係記憶領域１３４、制御内容記憶領域１３５は、上記実施形態に係る制御実行部３２、対応関係記憶領域３４、制御内容記憶領域３５と同様であるので、制御実行部１３２、対応関係記憶領域１３４、制御内容記憶領域１３５についての説明は省略する。
【０１０６】
決定アルゴリズム記憶領域１３３には、第２決定アルゴリズムが記憶されている。第２決定アルゴリズムは、各要求レベルに対する能力抑制レベルの対応づけを決定する手順を示したものである。
【０１０７】
パラメータ群記憶領域１３７には、表４に示すように、時間帯を表す第１パラメータ、外気温を表す第２パラメータ、設定温度と室温との乖離度合いを表す第３パラメータの３つのパラメータが記憶されている。以降、設定温度と室温との乖離度合いを、簡単に乖離度と表現する。第１パラメータに対しては第１条件（１１：００〜１４：００）、第２パラメータに対しては第２条件（３５℃以上）、第３パラメータに対しては第３条件（５℃以上）が対応している。
【０１０８】
【表４】
0005515765.tif 000005
【０１０９】
条件判定部１３６は、各パラメータが、表４に記載された各条件を満たすか否かを判定する。具体的には、第１パラメータである時間帯が１１時から１４時までの間であるか否か、第２パラメータである外気温が３５℃以上であるか否か、および第３パラメータである乖離度が５℃以上か否かを判定する。それぞれの条件を満たすパラメータの数に応じて、要求レベルに対する能力抑制レベルの対応づけを変化させる。具体的には、対応する各条件を満たすパラメータの数が多いとき、同条件を満たすパラメータの数が少ないときよりも、同じ要求レベルに対して、より高い能力抑制レベルを対応づける。
【０１１０】
〔第２決定アルゴリズム〕
（１）各要求レベルに対する能力抑制レベルの対応づけの処理の手順
上記実施形態の場合と同様に、能力抑制レベル決定部１３１は、１０秒毎にデマンドコントローラ５から送信される電力抑制信号が要求レベル３に到達したかどうかを監視している。電力抑制信号が要求レベル３に到達した場合、条件判定部１３６の判定結果に応じて、以下の手順で処理が実行される。
【０１１１】
（１−１）
表４に記載された既定の各条件を満たすパラメータの数が３つの場合、第１処理を実行する。第１処理では、要求レベル１に対応する能力抑制レベルを、現在の対応値よりも、能力抑制の程度が大きい方向に２だけシフトさせる。また、要求レベル２に対応する能力抑制レベルを、現在の対応値よりも、能力抑制の程度が大きい方向に３だけ増加させる。
【０１１２】
（１−２）
表４に記載された既定の各条件を満たすパラメータの数が２つの場合、第２処理を実行する。第２処理では、要求レベル１に対応する能力抑制レベルを、現在の対応値よりも、能力抑制の程度が大きい方向に１だけシフトさせる。また、要求レベル２に対応する能力抑制レベルを、現在の対応値よりも、能力抑制の程度が大きい方向に３だけシフトさせる。
【０１１３】
（１−３）
表４に記載された既定の各条件を満たすパラメータの数が１つの場合、第３処理を実行する。第３処理では、要求レベル１に対応する能力抑制レベルを、現在の対応値よりも、能力抑制の程度が大きい方向に１だけシフトさせる。また、要求レベル２に対応する能力抑制レベルを、現在の対応値よりも、能力抑制の程度が大きい方向に２だけシフトさせる。
【０１１４】
（１−４）
表４に記載された既定の各条件を満たすパラメータの数が０の場合、第４処理を実行する。第４処理では、要求レベル１に対応する能力抑制レベルについては、現在の対応値を変更しない。また、要求レベル２に対応する能力抑制レベルを、現在の対応値よりも、能力抑制の程度が大きい方向に１だけシフトさせる。
【０１１５】
ただし、第１処理から第４処理を通して、各要求レベルに対する能力抑制レベルの対応づけの範囲は、上記実施形態の場合を同様である。具体的には、要求レベル１に対しては能力抑制レベル１から能力抑制レベル３までのいずれかを対応づける。要求レベル２に対しては能力抑制レベル４から能力抑制レベル７までのいずれかを対応させる。要求レベル３に対しては能力抑制レベル８が固定されている。
【０１１６】
例えば、現在、要求レベル１に対して能力抑制レベル１が、要求レベル２に対して能力抑制レベル４が、要求レベル３に対して能力抑制レベル８が対応づけられているとする。このような対応づけがされているとき、要求レベルの変化が、要求レベル０から要求レベル１、要求レベル２を経て要求レベル３に到達した後、要求レベル０に戻ったとする。
【０１１７】
以下、上記の例の場合に、第２決定アルゴリズムを適用してみる。
【０１１８】
（１−５）
表４に記載された既定の各条件を満たすパラメータの数（以下、誤解が生じない場合、“条件を満たすパラメータの数”と表現する）が３つの場合、第１処理を実行する。要求レベル１に対しては、現在の対応づけである能力抑制レベル１を、能力抑制の程度が大きい方向に２だけシフトさせて能力抑制レベル３に変更し、要求レベル２に対しては、現在の対応づけである能力抑制レベル４を、能力抑制の程度が大きい方向に３だけシフトさせて能力抑制レベル７に変更する。
【０１１９】
（１−６）
条件を満たすパラメータの数が２つの場合、第２処理を実行する。要求レベル１に対しては、現在の対応づけである能力抑制レベル１を、能力抑制の程度が大きい方向に１だけシフトさせて能力抑制レベル２に変更し、要求レベル２に対しては、現在の対応づけである能力抑制レベル４を、能力抑制の程度が大きい方向に３だけシフトさせて能力抑制レベル７に変更する。
【０１２０】
（１−７）
条件を満たすパラメータの数が１つの場合、第３処理を実行する。要求レベル１に対しては、現在の対応づけである能力抑制レベル１を、能力抑制の程度が大きい方向に１だけシフトさせて能力抑制レベル２に変更し、要求レベル２に対しては、現在の対応づけである能力抑制レベル４を、能力抑制の程度が大きい方向に２だけシフトさせて能力抑制レベル６に変更する。
【０１２１】
（１−８）
条件を満たすパラメータの数が０の場合、第４処理を実行する。要求レベル１に対しては、現在の対応づけである能力抑制レベル１を変更せず、要求レベル２に対しては、現在の対応づけである能力抑制レベル４を、能力抑制の程度が大きい方向に１だけシフトさせて能力抑制レベル５に変更する。
【０１２２】
仮に、条件を満たすパラメータの数が１つであったとする。このときは、第３処理を実行する。要求レベル１に対しては能力抑制レベル２に変更され、要求レベル２に対しては能力抑制レベル６に変更されることになる。この状態でデマンド制御が実行され、要求レベルの変化が、要求レベル０から要求レベル１、要求レベル２を経て要求レベル３に到達した後、要求レベル０に戻ったとする。要求レベルが３に到達しているので、同様のことが繰り返される。
【０１２３】
〔空調機コントローラ１２０の動作〕
図９は、変形例Ａに係る空調機コントローラ１２０の能力抑制レベル決定部１３１における処理の流れを示すフローチャートである。以下、図９のフローチャートを参照しながら、変形例Ａに係る能力抑制レベル決定部１３１の処理の流れについて説明する。
【０１２４】
能力抑制レベル決定部１３１は、１０秒毎にデマンドコントローラ５から送信される電力抑制信号の要求レベルを、受信部１２１を通じて監視している。この状態を要求レベル監視ループＲ１という。ステップＳ４１では、能力抑制レベル決定部１３１が、要求レベルが３に到達したか否かを判定する。要求レベルが３に到達した場合にはステップＳ４２に移動する。要求レベルが３に到達しない場合は、要求レベル監視ループＲ１でループし続ける。
【０１２５】
ステップＳ４２では、条件判定部１３６が、第１パラメータである時間、第２パラメータである外気温、および第３パラメータである乖離値のそれぞれの値を、空調機１０より取得する。
【０１２６】
ステップＳ４３では、条件判定部１３６が、第１パラメータが第１条件、第２パラメータが第２条件、第３パラメータが第３条件を満たすか否かを判定後、これらの各条件を満たすパラメータがいくつあるかを判定し、３つのパラメータすべてが、各条件を満たす場合はステップＳ４４に移動し、それ以外の場合はステップＳ４５に移動する。
【０１２７】
ステップＳ４４では、第１処理を実行する。すなわち、現時点における要求レベルと能力抑制レベルとの対応において、要求レベル１に対応づけられた能力抑制レベルを、能力抑制の程度が大きい方向に２だけシフトさせ、要求レベル２に対応づけられた能力抑制レベルを、能力抑制の程度が大きい方向に３だけシフトさせる。その後、制御実行ルーチンＲＴ３に移動する。
【０１２８】
ステップ４５では、条件判定部１３６が、各条件を満たすパラメータが２つであるか否かを判定する。各条件を満たすパラメータが２つであった場合は、ステップＳ４６に移動する。それ以外であった場合は、ステップＳ４７に移動する。
【０１２９】
ステップＳ４６では、第２処理を実行する。すなわち、現時点における要求レベルと能力抑制レベルとの対応において、要求レベル１に対応づけられた能力抑制レベルを、能力抑制の程度が大きい方向に１だけシフトさせ、要求レベル２に対応づけられた能力抑制レベルを、能力抑制の程度が大きい方向に３だけシフトさせる。その後、制御実行ルーチンＲＴ３に移動する。
【０１３０】
ステップＳ４７では、条件判定部１３６が、各条件を満たすパラメータが１つであるか否かを判定する。各条件を満たすパラメータが１つであった場合は、ステップＳ４８に移動する。それ以外であった場合は、ステップＳ４９に移動する。
【０１３１】
ステップＳ４８では、第３処理を実行する。すなわち、現時点における要求レベルと能力抑制レベルとの対応において、要求レベル１に対応づけられた能力抑制レベルを、能力抑制の程度が大きい方向に１だけシフトさせ、要求レベル２に対応づけられた能力抑制レベルを、能力抑制の程度が大きい方向に２だけシフトさせる。その後、制御実行ルーチンＲＴ３に移動する。
【０１３２】
ステップＳ４９では、第４処理を実行する。すなわち、現時点における要求レベルと能力抑制レベルとの対応において、要求レベル２に対応づけられた能力抑制レベルを、能力抑制の程度が大きい方向に１だけシフトさせる。その後、制御実行ルーチンＲＴ３に移動する。
【０１３３】
制御実行ルーチンＲＴ３は、上記実施形態に係る空調機コントローラ２０の場合と同様である。
【０１３４】
〔変形例Ａに係るデマンド制御システムの特徴〕
変形例Ａに係るデマンド制御システム２００では、第１パラメータである時間帯、第２パラメータである外気温、および第３パラメータである乖離度と、各パラメータに対応する第１条件、第２条件、および第３条件を有している。それぞれの条件を満たすパラメータの数が多いほど、より強く能力抑制制御を実行する。このため、例えば、真夏において、比較的気温が低い早朝と、一日のうちで最も気温が高い正午過ぎというような環境の違いに応じて、適切なデマンド制御の実行が期待できる。
【０１３５】
（変形例Ｂ）
変形例Ａに係るデマンド制御システム２００では、第１パラメータ、第２パラメータ、および第３パラメータと、それぞれに対する第１条件、第２条件、および第３条件とに基づいて、各要求レベルに対する能力抑制レベルの対応づけを決定した。しかし、パラメータの数は３つに限らず、またパラメータの種類に関しても、時間帯、外気温、乖離度等以外のパラメータを採用してもよい。また、パラメータが１つであってもよい。
【０１３６】
（変形例Ｃ）
デマンド制御システム１００の空調機コントローラ２０においては、空調機１０の能力を抑制する方法として、デマンドコントローラ５から送信される電力抑制信号の要求レベルに応じて空調機１０の設定温度を段階的にシフトさせる方法を採用した。しかし、空調機１０の能力を抑制する方法として、上記以外の方法を採用してもよい。例えば、圧縮機の周波数を段階的に減少させる等の方法を採用してもよい。このような方法を採用した場合も、空調機１０の能力を抑制することで、デマンドコントローラ５からの電力抑制信号に応じて、電力を抑制することができる。
【０１３７】
（変形例Ｄ）
上記実施形態では、制御内容記憶領域３５において、複数の能力抑制レベルと、各能力抑制レベルに対応する制御内容とが関連付けて記憶されている。具体的には、能力抑制レベルには、空調機１０の設定値として、設定温度値の変更度合いが関連付けられた。ここで、能力抑制レベルに関連付ける空調機１０の設定値としては、設定温度値の代わりに、圧縮機の能力制御値を用いてもよい。具体的には、各能力抑制レベルと、圧縮機の能力制御値（例えば、１０％〜１００％）とを関連付ける。なお、圧縮機の能力制御値とは、圧縮機の能力制御の程度を示す値であり、圧縮機の１００％の能力制御は、圧縮機の停止、すなわち、強制サーモＯＦＦを意味する。したがって、能力抑制レベルの各レベルに対して、圧縮機の能力制御の程度を段階的に大きくした値を関連付けることによっても、空調機１０の能力を段階的に抑制することができる。
【産業上の利用可能性】
【０１３８】
本発明に係るデマンド制御システムは、空調機コントローラが、デマンドコントローラから送信される電力抑制信号の要求レベルに基づいて、空調機の能力抑制レベルを決定、変更する。このため、状況に応じた最適なデマンド制御が実行され、快適性や省エネルギー効果の向上に有益である。
【符号の説明】
【０１３９】
５：デマンドコントローラ
１０：空調機
２０、１２０：空調機コントローラ
３１、１３１：能力抑制レベル決定部
３２、１３２：制御実行部
１３６：条件判定部
１３７：パラメータ群記憶領域
１００、２００：デマンド制御システム
【先行技術文献】
【特許文献】
【０１４０】
【特許文献１】特開２００９−１９８５３号公報
【図１】
0005515765.tif 000006
【図２】
0005515765.tif 000007
【図３】
0005515765.tif 000008
【図４】
0005515765.tif 000009
【図５】
0005515765.tif 000010
【図６】
0005515765.tif 000011
【図７】
0005515765.tif 000012
【図８】
0005515765.tif 000013
【図９】
0005515765.tif 000014